(57)【特許請求の範囲】
【請求項１】
バネのキャップ４は、金属板２の表面に樹脂３を被覆した素材１を用いて樹脂３の面が外側に位置するようにして成形されていると共に、下面の周囲に段部６が形成されていること、
バネの皿７は、金属板２の表面に樹脂３を被覆した素材１を用いて樹脂３の面が外側に位置するようにして成形されていると共に、この中央に形成された穴８の周縁を内側にカールしてカール部９が形成されていること、
バネ内に組み込まれるバネ板１０は、樹脂で成形され、このバネ板１０は、前記キャップ４の下面に形成された段部６と前記皿７の穴８の周縁に形成されたカール部９間に組み込まれること、
ゲンコ１２は、金属板２の表面に樹脂３を被覆した素材１を用いて樹脂３の面が外側に位置するようにして成形されていると共に、ベース部１３の周縁には、下面側にカールさせたカール部１３ａが形成されていること、
ハトメ１４は、金属で成形され、この頭１５の外側には、樹脂製のハトメカバー１６が被覆されていること、
ホソ１７は、金属で成形され、この頭１８の外側には、樹脂製のホソカバー１９が被覆されていること、
を特徴とするホック。
【請求項２】
前記キャップ４のベース部４ａの下面は扁平に形成され、このキャップ４と接するバネ板１０側の上面の外周部には、上方に折り曲げた段部１０ｃが形成されていること、を特徴とする請求項１記載のホック。
【請求項３】
前記バネ板１０は、リング状の外径部１０ａと、この外径部１０ａから内側に３ケ所又は４ケ所変形した内径部１０ｂが形成されていると共に、前記キャップ４の段部６は、前記バネ板１０の外径部１０ａにおいて、キャップ４のベース部４ａの下面と接する位置に形成されていること、を特徴とする請求項２記載のホック。
【請求項４】
バネのキャップ４は、金属板２の表面に樹脂３を被覆した素材１を用いて樹脂３の面が外側に位置するようにして成形されていると共に、下縁を上方に釣針状に円曲させた爪２８により係合部２１が形成されていること、
バネの皿２３は、金属板２の表面に樹脂３を被覆した素材１を用いて樹脂３の面が外側に位置するようにして成形されていると共に、この中央に形成した穴２５の周縁を内側にカールしてカール部２５ａが形成されていること、
バネ内に組み込まれるバネ板１０は、樹脂で成形し、このバネ板１０は、前記キャップ２０に形成した係合部２１の円曲した外側と前記皿２３の穴２５の周縁のカール部２５ａ間に組み込まれること、
ゲンコ２６は、金属板２の表面に樹脂３を被覆した素材１を用いて樹脂３の面が外側に位置するようにして成形されていると共に、ベース部２６ａの外周側を下向きの釣針状に円曲して下面に爪の結合部２７が形成されていること、
キャップ２０及びゲンコ２６を生地に止めるための爪２８は、金属で成形され、この爪２８の頭２９は樹脂製の爪カバー３０で被覆されていること、
を特徴とするホック。
【発明の詳細な説明】
【０００１】
【発明の属する技術分野】
本発明は、静電気帯電防止作業服或いは静電気帯電防止靴等に使用されるホックに関する。
【０００２】
【従来の技術】
作業服の静電気帯電に起因して発生する爆発、火災、電撃のような事故及び災害、並びに電子素子の破損、製品の汚れなどのような生産障害を防止するために、職場によっては静電気帯電防止作業服或いは靴の着用が義務づけられている。又、これらの服や靴に使用されるボタン、ファスナー等については、金属製品でないものを使用するように義務づけられていて、やむを得ず使用する場合は、着用状態において直接外側に露出しない構造にすることが義務づけられている。そこで、従来は、ボタン、ファスナー等においては樹脂製のものが使用されており、ホックにもこれが求められている。
【０００３】
【発明が解決しようとする課題】
しかし、ホックは、金属製品であることと、衣服に対してはハトメやホソを用いてカシメにより取り付けるため、これを金属以外の例えば樹脂で製作した場合、強度的に問題があってそのままでは実用化できない。
【０００４】
【課題を解決するための手段】
本発明は、従来どおり金属でホックを製作しながら、このホックの金属が直接外側に露出しないように構成して静電気帯電対策を講じることが目的であって、その構成は次のとおりである。
１．バネのキャップ４は、金属板２の表面に樹脂３を被覆した素材１を用いて樹脂３の 面が外側に位置するようにして成形されていると共に、下面の周囲に段部６が形成さ れていること、
バネの皿７は、金属板２の表面に樹脂３を被覆した素材１を用いて樹脂３の面が外 側に位置するようにして成形されていると共に、この中央に形成された穴８の周縁を    内側にカールしてカール部９が形成されていること、
バネ内に組み込まれるバネ板１０は、樹脂で成形され、このバネ板１０は、前記キ    ャップ４の下面に形成された段部６と前記皿７の穴８の周縁に形成されたカール部９    間に組み込まれること、
ゲンコ１２は、金属板２の表面に樹脂３を被覆した素材１を用いて樹脂３の面が外 側に位置するようにして成形されていると共に、ベース部１３の周縁には、下面側に カールさせたカール部１３ａが形成されていること、
ハトメ１４は、金属で成形され、この頭１５の外側には、樹脂製のハトメカバー１ ６が被覆されていること、
ホソ１７は、金属で成形され、この頭１８の外側には、樹脂製のホソカバー１９が    被覆されていること、
を特徴とするホック。
２．前記キャップ４のベース部４ａの下面は扁平に形成され、このキャップ４と接する    バネ板１０側の上面の外周部には、上方に折り曲げた段部１０ｃが形成されているこ と、を特徴とする請求項１記載のホック。
３．前記バネ板１０は、リング状の外径部１０ａと、この外径部１０ａから内側に３ケ    所又は４ケ所変形した内径部１０ｂが形成されていると共に、前記キャップ４の段部 ６は、前記バネ板１０の外径部１０ａにおいて、キャップ４のベース部４ａの下面と    接する位置に形成されていること、を特徴とする請求項２記載のホック。
【０００５】
４．バネのキャップ４は、金属板２の表面に樹脂３を被覆した素材１を用いて樹脂３の 面が外側に位置するようにして成形されていると共に、下縁を上方に釣針状に円曲さ    せた爪２８により係合部２１が形成されていること、
バネの皿２３は、金属板２の表面に樹脂３を被覆した素材１を用いて樹脂３の面が 外側に位置するようにして成形されていると共に、この中央に形成した穴２５の周縁    を内側にカールしてカール部２５ａが形成されていること、
バネ内に組み込まれるバネ板１０は、樹脂で成形し、このバネ板１０は、前記キャ    ップ２０に形成した係合部２１の円曲した外側と前記皿２３の穴２５の周縁のカール    部２５ａ間に組み込まれること、
ゲンコ２６は、金属板２の表面に樹脂３を被覆した素材１を用いて樹脂３の面が外 側に位置するようにして成形されていると共に、ベース部２６ａの外周側を下向きの 釣針状に円曲して下面に爪の結合部２７が形成されていること、
キャップ２０及びゲンコ２６を生地に止めるための爪２８は、金属で成形され、こ    の爪２８の頭２９は樹脂製の爪カバー３０で被覆されていること、
を特徴とするホック。
【０００６】
ホックの各部品であって、バネ板以外は従来の成形機をそのまま利用して成形し、バネ板のみは樹脂成形用の金型を用いて成形する。衣服等に対する取り付け方（カシメ方）も従来と同様にして行う。
【０００７】
【作用】
ホックは、バネ及びゲンコ及びハトメ、ホソ、爪等のすべてがその表面を樹脂により被覆されていて金属が外側に露出していないので、このホックから放電が行われることはない。
【０００８】
【発明の実施の形態】
以下に、本発明の一実施形態を説明する。
図１において、１はバネ及びゲンコを成形するための素材を示すもので、この素材１は、金属板２の表面に樹脂３を貼り合わせたものである。
図２はキャップの構造を示し、このキャップ４は、ハトメ用の穴５をベース部４ａの中央から立ち上げた立ち上げ部４ｂの中央に縁４ｃを残して形成し、ベース部４ａの下面外周に一段低くなった段部６を形成した構造から成り、樹脂３の面は、外面（外側）に位置している。
図３は皿の構造を示し、この皿７は、周縁に立ち上げ縁７ａを形成し、中央にゲンコ用の穴８を形成すると共に、この穴８の周縁を内側にカールしてカール部９を形成し、樹脂３の面は外面に位置している。
図４はバネ板を示し、このバネ板１０は、中央にゲンコの係合穴１１を形成した樹脂製である。
【０００９】
図５はバネの組立構造を示すもので、キャップ４は、周縁に形成した段部６の外側に皿７の立ち上げ縁７ａを被せるようにしてキャップ４に取り付けられ、バネ板１０は、キャップ４の段部６と皿７のカール部９間に挟み込まれており、キャップ４の内側との間に空隙ｐが形成され、バネ１０の係合穴１１側は、この空隙ｐの範囲において上方に自由に変位することにより、ゲンコが嵌合するときの衝撃を吸収して耐久性の向上を図るように工夫されている。
図６はゲンコを示すもので、このゲンコ１２の表面側に樹脂３の面が位置し、ベース１３の周縁を下方にカールしてカール部１３ａが形成されている。
図７はハトメを示し、このハトメ１４の頭１５の外側には、樹脂製のハトメカバー１６が被せてある。
図８はホソを示すもので、このホソ１７の頭１８の外側には、前記ハトメ１４と同じように樹脂製のホソカバー１９が被せてある。
図９はバネとゲンコを夫々生地Ａに取り付けた状態を示すものであって、この取り付け方は従来例と同じ方法で行われている。
【００１０】
図１０（イ）、（ロ）はメリヤスやニットのように伸び易い生地に使用されるホックのキャップ２０の形状であって、このキャップ２０は、素材１を用いて成形されたもので、その周囲を上方にカールして爪の係合部２１を形成し、表面に樹脂３の面を位置させている。
なお、図１０において（イ）は穴をあけないタイプ、（ロ）は中央に穴２２をあけ、この穴２２の内縁に内側にカール２２ａを形成したタイプであって、樹脂３の面は外側（図１０（イ）（ロ）では下面）に位置している。
【００１１】
図１１は前記図１０に示したキャップ２０に組み合わせて使用される皿であって、この皿２３は、素材１を用いて成形されたもので、少し内側に円曲した立ち上げ縁２３ａの内側には爪の係合部２４が形成してあり、中央にゲンコ穴２５を形成し、この内縁に内側にカールしたカール部２５ａを形成し、表面に樹脂３を位置させた形状である。
【００１２】
図１２はゲンコを示すもので、このゲンコ２６のベース部２６ａの周囲には、下向きの断面釣針状の係合部２７が形成してあり、表面（上面）に樹脂３の面が位置している。
図１３（イ）（ロ）は前記図１０に示したキャップ２０と図１１の皿２３及び図４のバネ板１０の組み立て図である。
図１４（イ）（ロ）は、キャップ２０及びゲンコ２６を生地に止めるための爪を示すもので、この爪２８の頭２９には、樹脂製の爪カバー３０が被せてあり、この爪２８はキャップ２０とゲンコ２６を夫々止めるために使用される。
【００１３】
図１５はメリヤス生地Ｂに爪２８を利用してバネ（キャップ２０、皿２３）とゲンコ２６を止めた状態の説明図である。
図１６はキャップ４側に段部６を形成せず、この代わりに、バネ板１０側の周囲を上方に折り上げてバネ板１０に段部１０ｃにより空隙ｐを形成するようにした例の説明図である。
図１７はバネ板１０の形状例であって、樹脂製の外径部１０ａと内側に３ケ所変位した内径部１０ｂから成り、平面三角形状を呈している。
図１８は４ケ所の内径部（係合穴１１に相当）１０ｂを有するバネ形状の例であって、ゲンコ２６が出入りするときに、矢印のように内径部１０ｂが自由に変形して衝撃を吸収し、耐久性が増す。但し、このバネ形状は、三角、四角以外に六角形状に成形してもよい。
【００１４】
【発明の効果】
本発明は以上のように、バネ板を除くホックの各部品を樹脂で被覆した金属板で成形することにより、このホックを例えば衣服に取り付けたとき、金属面が一切外側に露出しないので、このホックが放電を誘起することはない。
また、バネ板を樹脂で成形し、この強度上の問題と耐久性の問題を解決するために、バネ板が上方に変位する空隙をつくるようにしたり、外径側にバネが変形してゲンコの衝撃を吸収する形状とした。この結果、バネの耐久性を増大させることができる。
また、本発明は、金属板の表面に樹脂層を形成した素材を用いるので、従来のホック製造機械を用いてすべて加工ができると共に、生地に対するカシメも従前どおりできる。
また、表面に露出する樹脂は、染色が自由なので、カラフルなホックを作ることができる。この結果、静電気対策用としてばかりでなく、子供服、ベビー服、カジュアルウェアー用等にも使用できる。
【図面の簡単な説明】
【図１】  素材板の説明図。
【図２】  キャップの説明図。
【図３】  皿の説明図。
【図４】  バネ板の説明図。
【図５】  バネの組立構造の説明図。
【図６】  ゲンコの説明図。
【図７】  ハトメの説明図。
【図８】  ホソの説明図。
【図９】  バネとゲンコを生地に取り付けた状態の説明図。
【図１０】  伸び易い生地用キャップの説明図。
【図１１】  伸び易い生地用皿の説明図。
【図１２】  伸び易い生地用ゲンコの説明図。
【図１３】  伸び易い生地用バネの説明図。
【図１４】  爪の説明図。
【図１５】  メリヤス生地にバネとゲンコを止めた状態の説明図。
【図１６】  バネ板側に段部を形成した状態の説明図。
【図１７】  三角形のバネ形状の説明図。
【図１８】  四角形のバネ形状の説明図。
【符号の説明】
１  素材
２  金属板
３  樹脂
４  キャップ
７  皿
１０  バネ板
１２  ゲンコ
１４  ハトメ
１６  ハトメカバー
１７  ホソ
１８  ホソカバー
【図１】
0003668545.tif 000002
【図２】
0003668545.tif 000003
【図３】
0003668545.tif 000004
【図４】
0003668545.tif 000005
【図５】
0003668545.tif 000006
【図６】
0003668545.tif 000007
【図７】
0003668545.tif 000008
【図８】
0003668545.tif 000009
【図９】
0003668545.tif 000010
【図１０】
0003668545.tif 000011
【図１１】
0003668545.tif 000012
【図１２】
0003668545.tif 000013
【図１３】
0003668545.tif 000014
【図１４】
0003668545.tif 000015
【図１５】
0003668545.tif 000016
【図１６】
0003668545.tif 000017
【図１７】
0003668545.tif 000018
【図１８】
0003668545.tif 000019